(57)【要約】【課題】レンズ鏡胴の鏡胴本体と連結部材とをスナップイン機構を用いて連結することにより、連結部材を確実に固定することができ、且つ、鏡胴本体の歪みや損傷を防止することのできるレンズ鏡胴を提供する。【解決手段】レンズ鏡胴１０は、鏡胴本体１２と、この鏡胴本体１２に固定されてカメラ１８に連結される連結部材１４とを備える。鏡胴本体１２と連結部材１４は、スナップイン機構を用いて連結される。すなわち、鏡胴本体１２には、突起部４６を有するアーム４４が形成され、連結部材１４には貫通孔５６を有する係合部５４が形成され、アーム４４の弾性力によって突起部４６が貫通孔５６に係合される。【選択図】      図１
2006301293.tif 000002
【特許請求の範囲】
【請求項１】
鏡胴本体と、該鏡胴本体に固定されてカメラに連結される連結部材とを備えたレンズ鏡胴において、
前記鏡胴本体と前記連結部材の一方には、先端部に爪を有する弾性変形可能なアームが設けられ、
前記鏡胴本体と前記連結部材のもう一方には、前記アームの爪が係合される係合部が設けられることを特徴とするレンズ鏡胴。
【請求項２】
前記アームは、光軸を中心とした周方向に形成されることを特徴とする請求項１に記載のレンズ鏡胴。
【発明の詳細な説明】
【技術分野】
【０００１】
本発明はレンズ鏡胴に係り、特に監視カメラに装着されるレンズ鏡胴に関する。
【背景技術】
【０００２】
レンズ鏡胴は、レンズマウントと呼ばれる連結部材を介してカメラに連結される。通常、レンズ鏡胴と連結部材とは、ねじ等で固定される。連結部材は、カメラ装着時に不用意な強い力や衝撃で破損することを防止するため、十分な機械的強度が必要とされる。このため、レンズ鏡胴の連結部材に関しては、従来より、機械的強度を向上させる様々な提案が成されている。
【０００３】
例えば特許文献１には、レンズ鏡胴に対するねじ固定部分と、カメラに係合するバヨネット爪を金属部材で補強した連結部材が記載されている。この連結部材によれば、ねじ固定部分やバヨネット爪の強度が増加するので、連結部材を強固な締め付け力でレンズ鏡胴に固定することができ、且つ、連結部材とカメラとの係合力を向上させることができる。これにより、連結部材がカメラ装着時に不用意な力や衝撃で破損することを防止することができる。
【特許文献１】特開２０００−２９１１６号公報
【発明の開示】
【発明が解決しようとする課題】
【０００４】
しかしながら、特許文献１は、連結部材をレンズ鏡胴に強い締め付け力でねじ固定することによって、レンズ鏡胴の鏡胴本体に歪みが発生するという問題があった。そして、鏡胴本体に歪みが発生したことによって、フォーカスリングやズームリング等の操作リングと鏡胴本体との摺動抵抗が大きくなり、操作性が低下する不具合が発生する。
【０００５】
また、特許文献１では、連結部材をレンズ鏡胴に強い締め付け力でねじ固定した際に、鏡胴本体側の雌ねじのねじ山が破壊され、鏡胴本体そのものの交換が必要になるという問題があった。
【０００６】
本発明はこのような事情に鑑みてなされたもので、レンズ鏡胴の鏡胴本体に連結部材を確実に固定することができ、且つ、鏡胴本体の歪みや損傷を防止することのできるレンズ鏡胴を提供することを目的とする。
【課題を解決するための手段】
【０００７】
請求項１に記載の発明は前記目的を達成するために、鏡胴本体と、該鏡胴本体に固定されてカメラに連結される連結部材とを備えたレンズ鏡胴において、前記鏡胴本体と前記連結部材の一方には、先端部に爪を有する弾性変形可能なアームが設けられ、前記鏡胴本体と前記連結部材のもう一方には、前記アームの爪が係合される係合部が設けられることを特徴とする。すなわち請求項１の発明は鏡胴本体と連結部材とをスナップイン機構を用いて連結したことを特徴とする。これにより、請求項１の発明によれば、鏡胴本体と連結部材がアームの弾性力によって常に適切な力で連結されるので、連結時に鏡胴本体に歪みが発生することを防止できる。これにより、操作リングの操作感を向上させることができる。
【０００８】
また、請求項１の発明によれば、鏡胴本体と連結部材をスナップイン機構を用いて連結するので、ねじ等の固定部材が不要になるとともに、ドライバー等の工具が不要になる。したがって、請求項１の発明によれば、鏡胴本体と連結部材を容易に、且つ、低コストで連結することができる。
【０００９】
請求項２に記載の発明は請求項１の発明において、前記アームは、光軸を中心とした周方向に形成されることを特徴とする。請求項２の発明によれば、連結部材を鏡胴本体に対して周方向に回転させることによって、アームの爪が係合部に係合し、連結部材と鏡胴本体が連結される。このように、連結部材を周方向に回転させて鏡胴本体に連結すると、連結部材と鏡胴本体とを光軸方向に位置決めした状態で連結することができる。よって、レンズ鏡胴の光学特性を向上させることができる。
【発明の効果】
【００１０】
本発明によれば、レンズ鏡胴の鏡胴本体と連結部材がスナップイン機構を用いて連結されているので、鏡胴本体と連結部材を常に適切な力で連結することができ、連結時に鏡胴本体に歪みが発生することを防止できる。また、本発明によれば、鏡胴本体と連結部材をスナップイン機構を用いて連結するので、ねじ等の固定部材や固定用の工具が不要になり、鏡胴本体と連結部材とを容易に、且つ、低コストで連結することができる。
【発明を実施するための最良の形態】
【００１１】
以下、添付図面に従って本発明に係るレンズ鏡胴の好ましい実施の形態を説明する。
【００１２】
図１は、主に監視用カメラに装着されるレンズ鏡胴１０の構成を示した側面断面図である。同図に示すレンズ鏡胴１０は主として、略筒状の鏡胴本体１２（固定筒ともいう）と、この鏡胴本体１２の基端部に取り付けられてカメラ１８に連結される連結部材１４（レンズマウントともいう）と、鏡胴本体１２に周面側から差し込まれて装着される絞り装置１６とによって構成される。
【００１３】
鏡胴本体１２は、先端側の大径部１２Ａと、基端側の小径部１２Ｂとから成り、この大径部１２Ａと小径部１２Ｂは樹脂によって一体的に成形されている。大径部１２Ａの外周面には、フォーカスリング２０が回動自在に支持され、小径部１２Ｂの外周面には、ズームリング３０が回動自在に支持される。
【００１４】
鏡胴本体１２の大径部１２Ａの内部には、レンズ枠２４に保持されたフォーカスレンズ（群）２２が光軸Ｐ上に配設される。レンズ枠２４の外周面には、係合部２４Ｃが突設されており、この係合部２４Ｃは、大径部１２Ａに光軸Ｐ方向に形成された直進溝１２Ｃに係合される。これにより、レンズ枠２４及びフォーカスレンズ（群）２２は、光軸Ｐ方向に移動自在に支持される。
【００１５】
レンズ枠２４の係合部２４Ｃにはカムピン２６が突設されており、このカムピン２６は、フォーカスリング２０の内周面に形成されたカム溝２０Ｃに係合される。したがって、フォーカスリング２０を回動操作すると、カム溝２０Ｃと直進溝１２Ｃとの交差位置が光軸Ｐ方向に変位し、その交差位置の変位に伴ってレンズ枠２４及びフォーカスレンズ（群）２２が光軸Ｐ方向に移動する。これにより、フォーカスレンズ（群）２２が光軸Ｐ方向に移動し、ピント調整が行われる。なお、レンズ枠２４の係合部２４Ｃ、カムピン２６、フォーカスリング２０のカム溝２０Ｃ、鏡胴本体１２の直進溝１２Ｃから成る係合部分は、レンズ枠２４を安定して移動させるために複数設けることが好ましく、通常は、円周を三等分した三カ所に設けられる。
【００１６】
また、フォーカスリング２０には、外周面から内周面まで貫通するネジ孔２０Ａが形成され、このネジ孔２０Ａにツマミ２８がねじ込まれて取り付けられる。操作者はこのツマミ２８を使用してフォーカスリング２０を回動操作することもできる。また、ツマミ２８をねじ込んでその先端を鏡胴本体１２の大径部１２Ａの外周面に押し当てることによって、フォーカスリング２０を所望のピント調整位置で固定することができる。
【００１７】
鏡胴本体１２の小径部１２Ｂの内部には、レンズ枠３４に保持されたズームレンズ（群）３２が光軸Ｐ上に配設される。レンズ枠３４の外周面には、係合部３４Ｄが突設されており、この係合部３４Ｄは、小径部１２Ｂに光軸Ｐ方向に形成された直進溝１２Ｄに係合される。これにより、レンズ枠３４及びズームレンズ（群）３２は、光軸Ｐ方向に移動自在に支持される。
【００１８】
レンズ枠３４の係合部３４Ｄにはカムピン３６が突設されており、このカムピン３６がズームリング３０の内周面に形成されたカム溝３０Ｄに係合される。したがって、ズームリング３０を回動操作すると、カム溝３０Ｄと直進溝１２Ｄとの交差位置が光軸Ｐ方向に変位し、その交差位置の変位に伴ってレンズ枠３４が光軸Ｐ方向に移動する。これにより、ズームレンズ３２が光軸Ｐ方向に移動し、焦点距離（ズーム画角）が調整される。なお、レンズ枠３４の係合部３４Ｄ、カムピン３６、ズームリング３０のカム溝３０Ｄ、鏡胴本体１２の直進溝１２Ｄから成る係合部分は、レンズ枠３４を安定して移動させるために複数設けることが好ましく、通常は、円周を三等分した三カ所に設けられる。
【００１９】
また、ズームリング３０には、外周面から内周面まで貫通するネジ孔３０Ａが形成され、このネジ孔３０Ａにツマミ３８がねじ込まれて取り付けられる。操作者はこのツマミ３８を使用してフォーカスリング３０を回動操作することもできる。また、ツマミ３８をねじ込んでその先端を鏡胴本体１２の小径部１２Ｂの外周面に押し当てることによって、ズームリング３０を所望の焦点距離調整位置で固定することができる。
【００２０】
図２に示すように、絞り装置１６は、板状のケーシング６０を有し、このケーシング６０が鏡胴本体１２に差し込まれて装着される。具体的には、鏡胴本体１２の大径部１２Ａと小径部１２Ｂとの境界部分に、スリット状の開口部１２Ｅが円周方向に形成されており、このスリット状の開口部１２Ｅに板状のケーシング６０が光軸Ｐに直交する方向に差し込まれて装着される。ケーシング６０と鏡胴本体１２は、不図示のスナップイン構造によって連結される。すなわち、ケーシング６０には弾性変形可能なアームが設けられ、このアームの先端に係合用の爪が形成される。そして、この係合用の爪が鏡胴本体１２の溝に嵌合されることによって、絞り装置１６のケーシング６０が鏡胴本体１２に装着される。なお、絞り装置１６と鏡胴本体１２との連結方法はスナップイン構造に限定されるものではなく、ねじによる螺合等の他の連結方法を選択することも可能である。
【００２１】
ケーシング６０には円形の開口６０Ａが形成されており、ケーシング６０を鏡胴本体１２に装着した際にこの開口６０Ａが光軸Ｐ上に配置される。また、ケーシング６０の内部には、二枚の絞り羽根（不図示）が設けられており、一方の絞り羽根が開口６０Ａの上方に配置され、他方の絞り羽根が開口６０Ｂの下方に配置される。各絞り羽根は、上下方向にスライド自在に支持されており、ケーシング６０の下端に取り付けた駆動部（アイリスメータ等）６２を駆動することによって各絞り羽根が上下方向に移動するようになっている。そして、開口６０Ａの上方に配置された絞り羽根が下方に移動するとともに開口６０Ａの下方に配置された絞り羽根が上方に移動することによって、開口６０Ａが二枚の絞り羽根によって閉鎖され、被写体光が通過しない状態になる。また、駆動部６２を駆動して、上側の絞り羽根を上方に移動させるとともに下側の絞り羽根を下方に移動させることによって、二枚の絞り羽根が開口６０Ａから退避し、開口６０Ａ全体を被写体光が通過できる状態になる。なお、絞り装置１６の構成は上述したものに限定されるものではなく、虹彩絞り機構等を用いてもよい。
【００２２】
図２に示すように、絞り装置１６には回動規制部６４、６４が設けられており、この回動規制部６４、６４によって、フォーカスリング２０やズームリング３０等の操作リングの回動規制が行われる。回動規制部６４、６４は、絞り装置１６のケーシング６０と駆動部６２との接続部分で、且つ両外側に突出形成されている。また、各回動規制部６４は、先端側のフォーカス用規制部６４Ｂと、基端側のズーム用規制部６４Ａとで構成されている。
【００２３】
上記の如く構成された絞り装置１６は、フォーカスリング２０とズームリング３０とを鏡胴本体１２に取り付けた後、鏡胴本体１２の開口部１２Ｅに差し込むことによって装着される。これにより、絞り装置１６の回動規制部６４が所定の位置に配置され、この回動規制部６４によってフォーカスリング２０の回動規制とズームリング３０の回動規制が行われる。すなわち、フォーカス用規制部６４Ｂによってフォーカスリング２０の回動が規制され、ズーム用規制部６４Ａによってズームリング３０の回動が規制される。なお、回動規制部６４、６４は、絞り装置１６を鏡胴本体１２に差し込んで装着する際に、鏡胴本体１２に対する絞り装置１６の位置決め手段としても兼用される。
【００２４】
以下、フォーカスリング２０の回動規制について図２及び図３（Ａ）〜図３（Ｃ）に基づいて説明する。図３（Ａ）〜図３（Ｃ）は、図１の３−３線に沿う断面を示しており、図３（Ａ）は回動操作のない状態、図３（Ｂ）、図３（Ｃ）はそれぞれ反対方向に回動操作して規制された状態を示している。
【００２５】
図２に示すように、フォーカスリング２０は、その基端側の端面の一部（具体的には上側の略２／３）が突出しており、その突出部分の両端部に段差部２０Ｄ、２０Ｄが形成されている。この段差部２０Ｄ、２０Ｄは、フォーカスリング２０を鏡胴本体１２に装着した際に、鏡胴本体１２の大径部１２Ａの基端から突出して小径部１２Ｂ上に配置される。また、段差部２０Ｄ、２０Ｄは、図３（Ａ）に示すように、斜めに切りかかれた傾斜面２０Ｅ、２０Ｅを有し、この傾斜面２０Ｅは、図３（Ｂ）或いは図３（Ｃ）に示す如くフォーカスリング２０を回動させた際に、フォーカス用規制部６４Ｂに面接触するように構成される。
【００２６】
上記の如く構成されたフォーカスリング２０を、図３（Ａ）に示す状態から反時計回りに回動操作すると、図３（Ｂ）に示すように段差部２０Ｄの傾斜面２０Ｅがフォーカス用規制部６４Ｂに当接し、フォーカスリング２０の回動操作が規制される。また、フォーカスリング２０を図３（Ａ）に示す状態から時計回りに回動操作すると、図３（Ｃ）に示すように反対側の段差部２０Ｄの傾斜面２０Ｅがフォーカス用規制部６４Ｂに当接し、フォーカスリング２０の回動操作が規制される。これにより、フォーカスリング２０を正確な作動範囲に設定することができ、フォーカス操作を正確に行うことができる。
【００２７】
次にズームリング３０の回動規制について図２及び図４（Ａ）〜図４（Ｃ）に基づいて説明する。図４（Ａ）〜図４（Ｃ）は、図１の４−４線に沿う断面を示しており、図４（Ａ）は回動操作のない状態、図４（Ｂ）、図４（Ｃ）はそれぞれ反対方向に回動操作して規制された状態を示している。
【００２８】
図４（Ａ）に示すように、ズームリング３０には、外周面から突出した突起部６６が設けられている。この突起部６６は例えば樹脂から成り、ズームリング３０と一体的に形成される。また、突起部６６は、図４（Ａ）に示すように、フォーカスリング２０よりも小さな範囲で形成することが好ましい。さらに、突起部６６には、図４（Ｂ）或いは図４（Ｃ）に示す如くズームリング３０を回動操作した際にズーム用規制部６４Ａ、６４Ａに面接触する当接面６６Ａ、６６Ａが形成されている。
【００２９】
上記の如く構成されたズームリング３０を、図４（Ａ）に示す状態から反時計回りに回動操作すると、図４（Ｂ）に示すように突起部６６がズーム用規制部６４Ａに当接し、ズームリング３０の回動操作が規制される。また、ズームリング３０を、図４（Ａ）に示す状態から時計回りに回動操作すると、図４（Ｃ）に示すように、突起部６６がズーム用規制部６４Ａに当接し、ズームリング３０の回動操作が規制される。これにより、ズームリング３０を正確な作動範囲に設定することができ、ズーム操作を正確に行うことができる。
【００３０】
一方、図１に示す連結部材１４は、鏡胴本体１２とカメラ１８とを連結するための部材であり、略筒状に形成される。連結部材１４の外周面には、凹状の溝４０が一周にわたって形成されており、この溝４０にカメラ１８のバヨネット爪が係合されて連結される。なお、カメラ１８と連結部材１４の連結方法は特に限定するものではなく、カメラ１８を連結部材１４にねじ止めしてもよい。また、カメラ１８として、ＣＣＤと基板が露出されたビルトインタイプのものを用いてもよく、この場合には、連結部材１４に凹部を形成し、この凹部にカメラ１８のＣＣＤをはめ込んだ状態で、カメラ１８がねじ止めされる。
【００３１】
本実施の形態の連結部材１４は、鏡胴本体１２の小径部１２Ｂの基端にスナップイン機構を用いて連結される。以下、その連結構造について図５（Ａ）〜図５（Ｃ）、図６、及び図７（Ａ）〜図７（Ｄ）を用いて説明する。
【００３２】
図５（Ａ）は図１の５−５線に沿う断面図であり、図５（Ｂ）は図５（Ａ）の鏡胴本体１２のみを示し、図５（Ｃ）は連結部材１４のみを示している。また、図６は、連結部材１４とレンズ鏡胴１２の連結機構を示す斜視図である。図７（Ａ）〜図７（Ｄ）は、連結方法を示す説明図であり、光軸Ｐ側から見た模式図を示している。
【００３３】
図６に示すように、鏡胴本体１２の基端側の端面４８には、支持部４２が光軸Ｐ方向に突出して形成されており、この支持部４２の先端にアーム４４が設けられている。アーム４４及び支持部４２は樹脂によって鏡胴本体１２と一体的に形成されており、アーム４４は支持部４２の先端から周方向に延設されている。このアーム４４は、十分に弾性変形できる程度の強度で形成されており、例えば、その先端が鏡胴本体１２の端面４８から離れる方向に弾性変形することができる。
【００３４】
アーム４４には、鏡胴本体１２側の面に突起部（爪）４６が突出して形成されている。この突起部４６は後述の貫通孔５６に係合される大きさになっている。また、突起部４６は、図７（Ａ）に示すように、先端側が面取りされて傾斜面４６Ａが形成されており、突起部４６を円周方向に移動させた際に係合部５４に引っかからないようになっている。
【００３５】
なお、アーム４４は、鏡胴本体１２の端面４８に対して距離Ｄ１の位置に配置されている。また、アーム４４は、図５（Ｂ）に示すように周方向の三等分した位置に配設されている。
【００３６】
一方、連結部材１４は、図６に示すように、その内周面の基端に凸状部５２が一周にわたって突出して形成されている。また、連結部材１４の内周面には、係合部５４が突出して形成されている。この係合部５４は、凸状部５２から連続して形成されており、変形しない程度の十分な強度を有している。また、係合部５４は、円周方向に形成されており、その厚みＴ１（図７（Ａ）参照）は、前述したアーム４４と端面４８との距離Ｄ１と同寸法で形成される。さらに、係合部５４と凸状部５２との間隔Ｄ２は、アーム４４の厚みＴ２よりも大きく形成され、係合部５４と凸状部５２との間にアーム４４を差し込めるようになっている。なお、係合部５４と凸状部５２との間には、内周面と外周面とを貫通する開口部５８が形成されている。したがって、アーム４４の突起部４６が後述の貫通孔５６に係合したことを外部から視認することができる。
【００３７】
図５（Ｃ）に示すように、係合部５４は三カ所に設けられており、円周方向に三等分した位置に配置されている。また、各係合部５４には、光軸Ｐ方向に貫通孔５６が形成されており、前述のアーム４４の突起部４６が係合されるようになっている。
【００３８】
次に上記の如く構成されたレンズ鏡胴１０の作用について図７（Ａ）〜図７（Ｄ）に基づいて説明する。
【００３９】
連結部材１４を鏡胴本体１２に固定する場合、まず、図７（Ａ）に示す連結部材１４を、鏡胴本体１２の小径部１２Ｂに被せる。そして、図７（Ｂ）に示すように、鏡胴本体１２の端面４８を連結部材１４の係合部５４に押し当てる。
【００４０】
次に、この状態で連結部材１４を鏡胴本体１２に対して回転させる。これにより、図７（Ｃ）に示すように、鏡胴本体１２のアーム４４の先端が係合部５４と凸状部５２との間に差し込まれる。このとき、アーム４４は、先端の突起部４６の分だけ外側に弾性変形しながら差し込まれる。
【００４１】
連結部材１４の回動をさらに進めると、図７（Ｄ）に示すように、アーム４４の突起部４６が、係合部５４の貫通孔５６に音を立てて落ち込む。そして、アーム４４自身の弾性力によってアーム４４の突起部４６が係合部５４の貫通孔５６に係合し、連結部材１４が鏡胴本体１２に固定される。
【００４２】
このように本実施の形態のレンズ鏡胴１０によれば、鏡胴本体１２と連結部材１４とがスナップイン機構によって連結される。すなわち、アーム４４の弾性力によって突起部４６が貫通孔５６に係合されて、鏡胴本体１２と連結部材１４が連結されている。このようにして連結が行われると、アーム４４の弾性力によって常に一定の力で連結が行われるので、連結した鏡胴本体１２に歪みが発生することを防止することができる。
【００４３】
また、本実施の形態によれば、スナップイン機構のアーム４４は鏡胴本体１２に一体成形され、係合部５４は連結部材１４に一体成形されるので、ねじ等の固定具を別途用いる必要がない。さらに、本実施の形態によれば、連結部材１４を鏡胴本体１２に対して回転させるだけで連結することができるので、ドライバー等の工具が不要である。したがって、本実施の形態によれば、鏡胴本体１２と連結部材１４を容易に、且つ、低コストで連結することができる。
【００４４】
さらに、本実施の形態では、連結部材１４を回転させることによって鏡胴本体１２に係合させているので、連結部材１４と鏡胴本体１２を光軸Ｐ方向に位置決めした状態で連結することができる。すなわち、鏡胴本体１２の端面４８を連結部材１４の係合部５４に当接させて光軸Ｐ方向に位置決めした状態を保ったまま、アーム４４の突起部４６を係合部５４の貫通孔５６に係合させて連結を行うことができる。特に本実施の形態では、アーム４４の突起部４６を鏡胴本体１２の端面４８側に形成することによって、アーム４４と端面４８とで係合部５４を挟持するようにしたので、端面４８と係合部５４との当接状態を常に確保することができる。したがって、本実施の形態によれば、連結部材１４と鏡胴本体１２を光軸Ｐ方向に位置決めして連結することができるので、光学上の性能を向上させることができる。
【００４５】
なお、上述した実施の形態において、アーム４４の突起部４６及び係合部５４の貫通孔５６の形状や個数は特に限定されるものではなく、突起部４６と貫通孔５６が係合するような構成であればよい。例えば貫通孔５６の代わりに溝を形成して突起部４６を係合させるようにしてもよい。
【００４６】
また、上述した実施の形態は、アーム４４の先端に突起部４６を形成し、連結部材１４の係合部５４に貫通孔５６を形成したが、逆にしてもよい。すなわち、アーム４４の先端に貫通孔を形成し、この貫通孔に係合する突起を係合部５４に設けてもよい。さらに、連結部材１４にアームを形成し、鏡胴本体１２に係合部を形成するようにしてもよい。
【図面の簡単な説明】
【００４７】
【図１】本発明に係るレンズ鏡胴の構成を示す断面図
【図２】レンズ鏡胴の分解斜視図
【図３】フォーカスリングの回動規制を説明するための断面図
【図４】ズームリングの回動規制を説明するための断面図
【図５】図１の５−５線に沿う断面図
【図６】連結機構を示す斜視図
【図７】鏡胴本体と連結部材との連結動作を示す説明図
【符号の説明】
【００４８】
１０…レンズ鏡胴、１２…鏡胴本体、１４…連結部材、１６…絞り装置、１８…カメラ、２０…フォーカスリング、２０Ｄ…段差部、２２…フォーカスレンズ、２４…レンズ枠、３０…ズームリング、３２…ズームレンズ、３４…レンズ枠、４２…支持部、４４…アーム、４６…突起部、５４…係合部、５６…貫通孔
【図１】
2006301293.tif 000003
【図２】
2006301293.tif 000004
【図３】
2006301293.tif 000005
【図４】
2006301293.tif 000006
【図５】
2006301293.tif 000007
【図６】
2006301293.tif 000008
【図７】
2006301293.tif 000009